(57)【要約】【課題】ＬＴＥネットワークにおける緊急コールのＲＲＣ接続を再確立する方法を提供する。【解決手段】  ＬＴＥネットワーク環境において、緊急コールを行なうモバイル装置は、失敗状況を経過した後、ＲＲＣ接続再確立ルーチンを起動する。該モバイル装置は、受容可能セルにＲＲＣ接続を確立し、緊急コールを発信する。該モバイル装置が失敗状況を検出時、例えば、無線接続の失敗は、該ＲＲＣ接続の中断を引き起こす。該モバイル装置は、可用なセルを検索し、該ＲＲＣ接続を再確立するが、受容可能セルのみを検出できる。該モバイル装置は、受容可能セルにＲＲＣ接続再確立ルーチンを起動し、セルにＲＲＣ接続再確立を試み、そのうち、該セルは、最初の受容可能セルと同一のＰＬＭＮに属する。該モバイル装置は、失敗状況を検出時、ＲＲＣ_ＩＤＬＥモードに入ることもできる。【選択図】図３
2011101363.tif 000002
【特許請求の範囲】
【請求項１】
無線モバイル装置により実行し、該無線モバイル装置は、無線通信プロトコルを使用したネットワークと無線通信を行い、該無線モバイル装置は、プロセッサ、無線機器及びメモリを含むＲＲＣ接続を再確立する方法であって、該方法は、下記のステップを含む：
第１受容可能セルとＲＲＣ接続を確立し、そのうち、該第１受容可能セルが緊急コールを支援し；
該ＲＲＣ接続を介し緊急コールを確立し；
該ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；
第２受容可能セルを検出し、そのうち、該第２受容可能セルは、該第１受容可能セル又は他の受容可能セルであり；
該第２受容可能セルへの要求を伝送し、該ＲＲＣ接続を再確立する、
ことを特徴とするＲＲＣ接続を再確立する方法。
【請求項２】
前記要求は、ＲＲＣ接続再確立ルーチン又はセル更新ルーチンを起動することを特徴とする請求項１に記載のＲＲＣ接続を再確立する方法。
【請求項３】
更に下記のステップ：適合するセルを検出し、該適合するセルが緊急コールを支援する、を含むことを特徴とする請求項１に記載のＲＲＣ接続を再確立する方法。
【請求項４】
前記第２受容可能セル及び前記第１受容可能セルが異なるセルであり、該第１受容可能セルは、パブリックランドモバイルネットワークに属し、該第２受容可能セルも該パブリックランドモバイルネットワークに属することを特徴とする請求項１に記載のＲＲＣ接続を再確立する方法。
【請求項５】
更に下記のステップ：前記第２受容可能セルから指示を受け、該第２受容可能セルが緊急コールを支援することを認知する、を含むことを特徴とする請求項１に記載のＲＲＣ接続を再確立する方法。
【請求項６】
無線モバイル装置により実行し、該無線モバイル装置は、無線通信プロトコルを使用したネットワークと無線通信を行い、該無線モバイル装置は、プロセッサ、無線機器及びメモリを含むＲＲＣ接続を再確立する方法であって、該方法は、下記のステップを含む：
第１受容可能セルと第１ＲＲＣ接続を確立し、そのうち、該第１受容可能セルが緊急コールを支援し；
該第１ＲＲＣ接続を介し第１緊急コールを確立し；
該第１ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；
タイマーが終了せずに且つ該失敗状況を検出する時、ＲＲＣ_ＩＤＬＥモードに進入し、そのうち、該タイマーは、ＲＲＣ接続再確立ルーチンに関連し；
第２セルと第２ＲＲＣ接続を確立し；該第２ＲＲＣ接続により第２緊急コールを確立する、ことを特徴とするＲＲＣ接続を再確立する方法。
【請求項７】
前記タイマーがタイマーＴ３１１であることを特徴とする請求項６に記載のＲＲＣ接続を再確立する方法。
【請求項８】
前記第２緊急コールは、該第２セルが該第２ＲＲＣ接続を確立する時、自動で確立することを特徴とする請求項６に記載のＲＲＣ接続を再確立する方法。
【請求項９】
無線モバイル装置により実行し、該無線モバイル装置は、無線通信プロトコルを使用したネットワークと無線通信を行い、該無線モバイル装置は、プロセッサ、無線機器及びメモリを含むＲＲＣ接続を再確立する方法であって、該方法は、下記のステップを含む：
第１受容可能セルとＲＲＣ接続を確立し、そのうち、該第１受容可能セルが緊急コールを支援し、且つパブリックランドモバイルネットワークに属し；
該ＲＲＣ接続を介し緊急コールを確立し；
該ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；
該第１受容可能セルと同じ該パブリックランドモバイルネットワークに属するセルを検索し；
該セルを検出時、該ＲＲＣ接続を確立する要求を該セルに伝送することを特徴とするＲＲＣ接続を再確立する方法。
【請求項１０】
更に、以下のステップ：
前記第１受容可能セルと同一の前記パブリックランドモバイルネットワークに属する該セルを検出できず、且つ適合するセルを検出した時、ＲＲＣ_ＩＤＬＥモードに入る、ことを含むことを特徴とするを含む請求項９に記載のＲＲＣ接続を再確立する方法。
【請求項１１】
前記ＲＲＣ接続を再確立する要求がＲＲＣ接続再確立ルーチン又はセル更新ルーチンを起動することを特徴とする請求項９に記載のＲＲＣ接続を再確立する方法。
【請求項１２】
前記第１受容可能セルと同一の前記パブリックランドモバイルネットワークに属する該セルが受容可能セル又は適合するセルであることを特徴とする請求項９に記載のＲＲＣ接続を再確立する方法。
【請求項１３】
更に下記のステップ：前記第１受容可能セルと同一の前記パブリックランドモバイルネットワークに属する該セルから指示を受け、該セルが緊急コールを支援することを認知する、ことを含むことを特徴とする請求項９に記載のＲＲＣ接続を再確立する方法。
【請求項１４】
更に下記のステップ：
前記適合するセルが第２ＲＲＣ接続を確立し、該適合するセルを介して第２緊急コールを確立することを特徴とする請求項１０に記載のＲＲＣ接続を再確立する方法。
【請求項１５】
無線モバイル装置により実行し、該無線モバイル装置は、無線通信プロトコルを使用したネットワークと無線通信を行い、該無線モバイル装置は、プロセッサ、無線機器及びメモリを含むＲＲＣ接続を再確立する方法であって、該方法は、下記のステップを含む：
第１受容可能セルとＲＲＣ接続を確立し、そのうち、該第１受容可能セルが緊急コールを支援し；
該ＲＲＣ接続を介し緊急コールを確立し；
該ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；
緊急コールを支援する第２セルを検索し；
該第２セルを検出した場合、該ＲＲＣ接続を確立する要求を該第２セルに伝送する、ことを特徴とするＲＲＣ接続を再確立する方法。
【請求項１６】
前記第２セルは、受容可能セル又は適合するセルであることを特徴とする請求項１５に記載のＲＲＣ接続を再確立する方法。
【請求項１７】
前記ＲＲＣ接続を再確立する要求がＲＲＣ接続再確立ルーチン又はセル更新ルーチンを起動することを特徴とする請求項１５に記載のＲＲＣ接続を再確立する方法。
【発明の詳細な説明】
【技術分野】
【０００１】
本発明は、緊急コール（emergency call）に関し、特に、ＬＴＥネットワークにおける緊急コールのＲＲＣ接続を再確立する方法に関する。
【背景技術】
【０００２】
人は、緊急状態において、往々にしてそのモバイル装置（即ち、使用者設備(user equipment, UE)）に頼って救いを求める。従って、モバイル装置は、必要時に緊急コール（例えば、１１９連絡）を確率できるかが重大事項である。この目的を達成する為、一般には、何れもモバイル装置は、通常の状況で使用する権利が付与されない無線ネットワークのセルを介し、緊急コールを確立することが許可される。
【０００３】
ＬＴＥ(Long Term Evolution)ネットワーク又はＵＭＴＳ(Universal Mobile Telecommunications System)ネットワークにおいて、モバイル装置は、セルを介して無線資源制御(radio resource control, ＲＲＣ)接続を確立し、ネットワークサービスを使用する。モバイル装置が適合したセル(suitable cell)への接続を選択する時、正常なサービスを獲得することができる。モバイル装置が受容可能セル(acceptable cell)への接続を選択する時、緊急コール (例えば、交換回路(circuit switched)緊急コール又はＩＰＭＳ (Internet Protocol Multimedia Subsystem)緊急コール)を発し、地震及び津波警告システム(Earthquake and Tsunami Warning System, ETWS)及び商業モバイル刑法システム (Commercial Mobile Alert System, CMAS)の通知を受信することのみできる。従って、モバイル装置は、適合するセル又は受容可能セルを介し緊急コールを確立する。
【０００４】
その他の種の通話と同様に、緊急コールは、各種ＲＲＣ接続を中断する失敗状況を起こることにより、持続することができなくなる。前記失敗状況は、無線接続(radio link)の失敗、ハンドオーバー(handover)の失敗、ＬＴＥモバイルシステムからｅ−ＵＴＲＡ (evolved ＵＭＴＳ Terrestrial Radio Access)への転送の失敗、整合性チェック(integrity check)の失敗、ＲＲＣ接続再構築(ＲＲＣ connection reconfiguration)の失敗又はその他の種の失敗を含む。失敗状況発生後に緊急コールを継続するため、モバイル装置は、ＲＲＣ接続再確立ルーチンを実行する。しかしながら、ＬＴＥ又はＵＭＴＳネットワークにおいて、既存のモバイル装置が緊急コールを確立後、一旦失敗状況の経歴があると、往々にしてＲＲＣ接続を再確立することが困難となる。
【先行技術文献】
【特許文献】
【０００５】
【特許文献１】特開２００８−４２９１９
【特許文献２】特開２００７−１８９５３１
【特許文献３】特表２００４−５０２３８７
【特許文献３】特開２００９−２３２１２４
【特許文献４】特開２００９−１１２００７
【発明の概要】
【発明が解決しようとする課題】
【０００６】
これに鑑み、本発明の目的は、ＬＴＥ又はＵＭＴＳネットワーク環境において、緊急コールがＲＲＣ接続を確立する方法を提供し、上記従来技術が直面する問題を解決することにある。
【課題を解決するための手段】
【０００７】
本発明の一実施例では、ＲＲＣ接続を再確立する方法を開示し、無線モバイル装置により実行し、該無線モバイル装置は、無線通信プロトコルを使用したネットワークと無線通信を行い、該無線モバイル装置は、プロセッサ、無線機器(radio)及びメモリを含む。該方法は、下記のステップを含む：第１受容可能セルとＲＲＣ接続を確立し、そのうち、第１受容可能セルが緊急コールを支援し；該ＲＲＣ接続を介し緊急コールを確立し；該ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；第２受容可能セルを検出し、そのうち、第２受容可能セルは、第１受容可能セル又は他の受容可能セルであり；第２受容可能セルへの要求を伝送し、該ＲＲＣ接続を再確立する。
【０００８】
本発明のもう１つの実施例では、ＲＲＣ接続を再確立する方法を開示し、無線モバイル装置により実行し、該無線モバイル装置は、無線通信プロトコルを使用したネットワークと無線通信を行い、該無線モバイル装置は、プロセッサ、無線機器及びメモリを含む。該方法は、下記のステップを含む：第１受容可能セルと第１ＲＲＣ接続を確立し、そのうち、第１受容可能セルが緊急コールを支援し；該第１ＲＲＣ接続を介し第１緊急コールを確立し；該第１ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；タイマーが終了せずに且つ該失敗状況を検出する時、ＲＲＣ_ＩＤＬＥモードに進入し、そのうち、該タイマーは、ＲＲＣ接続再確立ルーチンに関連し；第２セルと第２ＲＲＣ接続を確立し；第２ＲＲＣ接続により第２緊急コールを確立する。
【０００９】
本発明のもう１つの実施例では、ＲＲＣ接続を再確立する方法を開示し、無線モバイル装置により実行し、該無線モバイル装置は、無線通信プロトコルを使用したネットワークと無線通信を行い、該無線モバイル装置は、プロセッサ、無線機器及びメモリを含む。該方法は、下記のステップを含む：第１受容可能セルとＲＲＣ接続を確立し、そのうち、第１受容可能セルが緊急コールを支援し、且つパブリックランドモバイルネットワーク（ＰＬＭＮ）に属し；該ＲＲＣ接続を介し緊急コールを確立し；該ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；第１受容可能セルと同じ該ＰＬＭＮに属するセルを検索し；該セルを検出時、該ＲＲＣ接続を確立する要求を該セルに伝送する。
【００１０】
本発明のもう１つの実施例では、ＲＲＣ接続を再確立する方法を開示し、無線モバイル装置により実行し、該無線モバイル装置は、無線通信プロトコルを使用したネットワークと無線通信を行い、該無線モバイル装置は、プロセッサ、無線機器及びメモリを含む。該方法は、下記のステップを含む：第１受容可能セルとＲＲＣ接続を確立し、そのうち、第１受容可能セルが緊急コールを支援し、；該ＲＲＣ接続を介し緊急コールを確立し；該ＲＲＣ接続の失敗状況を検出し、そのうち、該失敗状況は、無線接続の失敗、ハンドオーバーの失敗、ＬＴＥモバイルシステムからｅ−ＵＴＲＡへの転送の失敗、整合性チェックの失敗、ＲＲＣ接続再構築の失敗を含み；緊急コールを支援する第２セルを検索し；第２セルを検出した場合、該ＲＲＣ接続を確立する要求を第２セルに伝送する。
【発明の効果】
【００１１】
本発明は、ＬＴＥ又はＵＭＴＳネットワーク環境において、緊急コールがＲＲＣ接続を確立する方法を提供し、上記従来技術が直面する問題を解決する。
【図面の簡単な説明】
【００１２】
【図１】本発明の実施形態にかかる代表的なＬＴＥネットワーク環境を示す系統図である。
【図２】モバイル装置を示すブロック図である。
【図３】失敗状況を検出後、緊急コールのＲＲＣ接続を再確立するルーチンの実施例を示すフロー図である。
【図４】失敗状況を検出後、緊急コールのＲＲＣ接続を再確立するルーチンの実施例を示すフロー図である。
【図５】失敗状況を検出後、緊急コールのＲＲＣ接続を再確立するルーチンの実施例を示すフロー図である。
【図６】失敗状況を検出後、緊急コールのＲＲＣ接続を再確立するルーチンの実施例を示すフロー図である。
【発明を実施するための形態】
【００１３】
本発明は、ＬＴＥ又はＵＭＴＳネットワーク環境において、緊急コールが先に確立したＲＲＣ接続を再確立する方法である。下記のように、モバイル装置が例えば、無線接続の失敗、ハンドオーバーの失敗等の失敗状況を検出時、ＲＲＣ接続再確立ルーチンを起動する。
【００１４】
実施例において、モバイル装置は、受容可能セル(acceptable cell)と確立したＲＲＣ接続を介して、緊急コールを行なう。モバイル装置は、失敗状況を検出時、可用なセルを検索し、該ＲＲＣ接続を再確立する。適合するセル(suitable cell)を検出した場合、モバイル装置は、該適合するセルに対しＲＲＣ再確立ルーチンを起動する。適合するセルが検出されないが、モバイル装置が受容可能セルを検出した場合、モバイル装置は、検出した受容可能セルに対してＲＲＣ再確立ルーチンを起動する。実施例において、モバイル装置は、受容可能セルに対しＲＲＣ接続再確立ルーチンを起動するのは、それが適合するセルを検出した場合もしない場合もある。
【００１５】
実施例において、モバイル装置は、受容可能セルと確立したＲＲＣ接続を介して、緊急コールを行なう。モバイル装置が失敗状況を検出時， ＲＲＣ_ＩＤＬＥ(アイドル,スリープ）状態に進入する。モバイル装置は、ＲＲＣ接続再確立ルーチンを起動せず、タイマー停止まで待つ必要がなく、他の緊急コールを発することができ、そのうち、該タイマーは、モバイル装置が接続可能な適合するセルを検索する時に用いる。
【００１６】
実施例において、モバイル装置は、受容可能セルと確立したＲＲＣ接続を介して、緊急コールを行なう。モバイル装置が失敗状況を検出時、可用なセルを検索し、ＲＲＣ接続再確立ルーチンを起動する。モバイル装置が元の受容可能セルと同じパブリックランドモバイルネットワーク(public land mobile network, ＰＬＭＮ)に属するセルを検出した場合、モバイル装置は、該セルにＲＲＣ接続再確立ルーチンを起動する。実施例において、モバイル装置が適合するセルを検出し、それが元の受容可能セルと同一のＰＬＭＮに属さない場合、モバイル装置は、ＲＲＣ_ＩＤＬＥモードに進入し、その後、前記適合するセルと新たなＲＲＣ接続の確立を要求する。
【００１７】
実施例において、モバイル装置は、セルと確立したＲＲＣ接続を介して、緊急コールを行なう。モバイル装置が失敗状況を検出時、緊急コールを支援するセルを検索し、該ＲＲＣ接続を再確立する。モバイル装置がこのようなセルを検出した場合、該セルにＲＲＣ接続再確立ルーチンを起動する。
【００１８】
本発明の各種実施例を以下に説明する。以下の記載は、特定の具体例を提供し、これらの実施例を完全な理解を補助し、これにより実施できるようにするものである。しかしながら、当業者は、本発明が多種の具体例で示さない状況で実施例可能であることを理解できるものである。同様に、当業者は、本発明が本明細書で多くの詳細に記載しない明確な特徴を含むことができることを理解できるものである。また、公知の構造又は機能は、関連記載と不要な混同を避ける為、下記において、詳細を記載しない。
【００１９】
下記で使用する用語は、本発明の特定実施例の詳細な説明中に用いるものであるが、最も広範で合理的な方式で解釈するものである。実際に、下記において、この種の方式で特定用語が強調される可能性があるが、制限的な方式で解釈される何れの用語も本節の実施方式中に明確且つ特定的に定義されるものである。
【００２０】
以下は、本発明が実施できる代表的な環境について、簡易で概括的に記載する。必要はないが、本発明の形態は、汎用(general-purpose)データ処理装置（例えば、サーバ、パソコン、モバイル装置）が実行するルーチン(routine)等のコンピュータが実施可能な命令の一般的な脈絡で説明することができる。当業者は、本発明が無線装置、インターネット機器、ポータブル装置(PDAを含む)、ウェアラブルコンピュータ(wearable computer)、タブレットＰＣ(tablet computer)、ネットブックコンピュータ(netbook computer)、各種形式の携帯電話(cellular phone)又はモバイルフォン、多機能システム、マイクロプロセッサを備える又はプログラミング可能なコンシューマ電子製品、セットトップボックス(set-top box)、ネットワークパソコン、ミニコンピュータ(mini-computer)、メインフレームコンピュータ(mainframe computer)等を含むその他の通信、データ処理又はコンピュータシステムの形態で実施できることを理解することができる。実際に、本文が記載する「モバイル装置」は、任意の上記の装置及びシステムを指すことができる。
【００２１】
某機能のような本発明の多くの側面は、完全に単一の装置中で実行されるよう記載されているが、本発明は、分散した(distributed)環境に実施することもでき、そのうち、多くの機能及びモジュールは、分散した処理装置により共用される。
【００２２】
本発明の多くの側面は、コンピュータが読み取り可能な実体媒介に保存又は分散でき、それは、読み取り可能なコンピュータディスク又は光ディスク、ハードワイヤード(hard-wired)チップ又はプログラムされた(preprogrammed)チップ(例えば、EEPROM)、ナノテクノロジ(nanotechnology)メモリ、生物メモリ(biological memory)又はその他のデータ保存媒介を含む。もう１種の形態において、本発明と関連するコンピュータ指令、データ構造、スクリーン表示及びその他のデータは、一定時間内に伝播媒介上の伝播信号(例えば、電磁波、音波等)により、インターネット又はその他のネットワーク(無線ネットワーク)に分散する。実施例において、データは、任意のアナログ又はデジタルネットワーク(パケット交換(packet switched)、回路交換(circuit switched)又はその他の構造)上に提供されることができる。
【００２３】
図1の実施例に示すように、モバイル装置１０４，１０６(例えば、携帯電話)は、セル塔(cell tower)１０８の１つ以上のセルと無線通信を行ない、セル塔１０８は、ＬＴＥネットワーク１１０に接続する。ここで使用する「モバイル装置」という用語は、携帯電話、PDA、携帯式電子メール装置(BlackberryR device等)、携帯式メディアプレーヤー (例えば、Apple iPod TouchR)、タブレットＰＣ（例えば、Apple iPadR)、ネットブックパソコン、ノートブックパソコン、電子リーダ(e-reader)又はその他の無線通信機能を備える装置であることができる。ＬＴＥ網路１１０は、IP電信ネットワークであることができ、セル塔１０８及びモバイル装置１０４，１０６間の通信は、例えば、ｅ−ＵＴＲＡNのネットワークに基づくことができ、並びに、例えば、OFDMA(orthogonal frequency-division multiple access)及びSC-FDMA(single-carrier frequency-division multiple access)の技術を使用する。
【００２４】
前記のように、ＬＴＥ網路１１０は、セル塔１０８のセル及びモバイル装置１０４，１０６を介して通信を行なう。セル塔は、携帯式受発信器(cellular transceiver)又は基地アンテナであることができる。一実施例において、セル塔のセルが単一のＰＬＭＮの一部分であるが、その他の実施例において、セル塔のセルが複数のＰＬＭＮの一部分である。
【００２５】
モバイル装置１０４，１０６は、以下に提供する実施例において、概括して記載され、本発明の多側面は、同様に、任意の通信装置に応用することができ、ラップトップコンピュータ(laptop)又は固定位置において使用する演算装置、例えば、デスクトップコンピュータ、又はその他の装置、例えば、テレビ、セットトップボックス、デジタルフレーム、電子リーダ装置等である。
【００２６】
図２は、実施例が示すモバイル装置１０４又は１０６のブロック図である。モバイル装置１０４，１０６は、１つ以上の無線受発信器又は無線機器(radio)２１０、メモリ及びファームウェア２１２、入力部材２１４及び出力部材２１５を含み、これらは、何れも１つ以上のプロセッサ２１６と通信を行なう。モバイル装置１０４，１０６の入力部材２１４は、マイクロフォン、ユーザ入力キー(実態的又はタッチスクリーンを経由)、GPS、デジタルカメラ、WiFiインタフェース、モーションセンサ(motion sensor)、ブルートゥース(BluetoothR)インタフェース、USBポート又は類似のポート等を含むことができる。出力部材２１５は、スピーカ、イヤホン又はヘッドセットジャックアダプタ (headset jack adapter)、ビデオディスプレイ及び触覚(haptic)感知装置(例えば、バイブレータ(vibrator))、及び上記を入力部材とする通信部材を含むことができる。例えば、ブルートゥースインタフェースは、外部の無線通信部材、例えば、無線イヤホンと通信を行なうことができ、このように、音声信号の入力を受信するだけでなく、音声信号を出力することもできる。
【００２７】
通信部材は、無線標準、例えば、ＬＴＥ、ＵＭＴＳ、ＧＳＭ又はＣＤＭＡ2000を支援する無線機器、及びIEEE 802.11、ブルートゥース又はその他の無線標準を支援する無線ＬＡＮ(WLAN)及び/又はＰＡＮ(personal area network, PAN)を支援する無線機器を含むことができる。モバイル装置１０４，１０６中のプロセッサは、音声及びデータ通話を支援する部材、映像を処理する部材、ファームウェアを実行する部材及びここで記載する多くの動作を行なうプロセッサを含むことができる。実際に、プロセッサ以外に、モバイル装置１０４，１０６は、１つ以上のデジタル信号プロセッサ(DSP)、ＡＳＩＣ(application-specific integrated circuit)、ＦＰＧＡ(field programmable gate array)又はその他の論理/データ処理回路を含むことができる。
【００２８】
実施例において、モバイル装置１０４，１０６は、取り外し可能なカードスロット (removable card slot)を含み、ユーザ識別モジュール(Subscriber Identity Module, SIM)及び/又は取り外し可能なメモリカード２１８を受け入れ、それ自身がプロセッサ、メモリ、無線機器等を含むことができる。該取り外し可能なメモリカードは、モバイル装置のカードスロットに挿入でき、且つその形式及び形状は、任意の公知のメモリカード、例えば、SDカード、xDカード、PCMCIAカード等であることができる。更に、モバイル装置は、その他のメモリ、例えば、データをキャッシュすることに用いるキャッシュメモリ(cache memory) を含むことができる。
【００２９】
モバイル装置１０４，１０６は、オペレーティングシステム(operating system, OS)を含み、それは、メモリ２１２に保存され、プロセッサ２１６により実行される。１つ以上のアプリケーションプログラムは、メモリ２１２にロードされ、オペレーションシステムに実行されるか、該オペレーティングシステムと結合する。アプリケーションプログラムの範例は、周知の(conventional)電話アプリケーションプログラム、例えば、アドレス帳、連絡人プログラム、及びゲームプログラム、ガイドプログラム、インストールウィザードプログラム、カスタマケアアプリケーションプログラム(customer care application)、電子メールプログラム、スケジューリング(scheduling)プログラム、個人情報管理(personal information management, PIM)プログラム、文書処理プログラム、スプレッドシート(spreadsheet)プログラム、ウェブブラウザプログラム、メディアプレーヤープログラム等を含む。任意の応用プログラム又はオペレーティングシステムは、本発明の実施形態に基づき提供される。
【００３０】
メモリ２１２は、ＲＲＣ接続再確立モジュール２２０を含むことができる。該ＲＲＣ接続再確立モジュール２２０は、本発明の実施形態に基づき、ＲＲＣ接続のデータ及び指令を再確立することに用いる。例えば、ＲＲＣ接続再確立モジュール２２０は、指令を含み、モバイル装置において下記図３〜図６に示すプログラムが失敗状況を検出後、ＲＲＣ接続を再確立することに用いる。
【００３１】
モバイル装置１０４，１０６は、電源供給設備２１７を含み、それは、１つ以上の電池であることができる。電源供給設備２１７は、更に外部電源を含むことができ、例えば、交流アダプタ(AC adapter)又は充電器(powered docking cradle)であり、電池の電力を補充又は電池を再充電する。当然、その他の電源供給設備を使用することもでき、例えば、ソーラーセル(solar cell)、動力を電気エネルギーに変換するトランスデューサ(transducer)、燃料電池(fuel cell)、電力を発生し、充電電池/容量に蓄積する生物電気エネルギー変換器マアハ温度エネルギー変換器等である。
【００３２】
モバイル装置１０４，１０６の各種部材、特徴及び機能は、既に図２の実施例に説明しており、多くの一般的なその他の形態、部材、特徴等もこのモバイル装置に組み込むことができることが理解でき、且つこの実施例は、モバイル装置を特殊な形態に制限するものではない。
【００３３】
ＬＴＥネットワーク環境において、モバイル装置は、受容可能セル又は適合するセルとＲＲＣ接続を確立し、緊急コールを行なう。失敗状況が該ＲＲＣ接続を中断すれば、緊急コールが停止される。失敗状況が発生後、緊急コールを継続する為、モバイル装置は、ＲＲＣ接続を再確立することができる。しかしながら、多くの要因により、既存のＬＴＥネットワークで動作するモバイル装置は、該ＲＲＣ接続を回復することができない。下記の各状況は、遭遇する典型的問題を説明する。
【００３４】
(1) モバイル装置が緊急コール期間に失敗状況を検出し、該緊急コールは、第１受容可能セルにより建立される。ＬＴＥネットワーク環境において、モバイル装置は、該第１受容可能セル又は接続可能な第２受容可能セルのみを検出した場合、ＲＲＣ接続を確立することができない。代わりに、モバイル装置は、接続可能な適合するセルを検索する。
(2) モバイル装置が緊急コール期間に失敗状況を検出し、該緊急コールは、第１受容可能セルを介して確立される。前の状況と同様に、モバイル装置は、該第１受容可能セル及び/又は接続可能な第２受容可能セルのみを検出できる。モバイル装置は、適合するセルを検索し、タイマー(Ｔ３１１)停止に至る。該タイマーが依然として動いている時、モバイル装置は、新な緊急コールを確立する。
(3) モバイル装置は、緊急コール期間に失敗状況を検出し、該緊急コールは、受容可能セルを介して確立される。モバイル装置は、適合するセルを検索し、検出し、接続を行い、該適合するセルとＲＲＣ接続再確立を試みる。該適合するセル及び該緊急コールは、確立する受容可能セルが異なるＰＬＭＮに属すれば、再確立ルーチンが失敗する。
(4) モバイル装置は、緊急コール期間に失敗状況を検出する。モバイル装置が適合するセルを検索し、検出し、該適合するセルを介してＲＲＣ接続を再確立する。しかしながら、該適合するセルは、緊急コールを支援せず、モバイル装置は、該適合するセルへの接続を保持する可能性があり、既に失敗した緊急コールを終了することができない。
【００３５】
上記状況(1)において、モバイル装置は、受容可能セルとＲＲＣ接続を確立し、失敗時効の経歴があり(例えば、無線接続失敗、ハンドオーバー失敗等)、且つ該受容可能セル又は他のＲＲＣ接続を再確立可能な受容可能セルのみを検出することができる。図３は、フロー図であり、それは、モバイル装置１０４，１０６が実行するルーチン３００の実施例であり、この種の状況で、ＲＲＣ接続を再確立する。
【００３６】
ブロック３０５において、モバイル装置１０４，１０６が受容可能セルと確立したＲＲＣ接続は、緊急コールを持続する。例えば、モバイル装置の使用者は、１１９を発信し、該緊急コールを要求し、モバイル装置は、該緊急コールを支援する可用なセルを検索し、該受容可能セルのみを検出でき、該ＲＲＣ接続を確立する。
【００３７】
判断ブロック３１０において、モバイル装置は、それが失敗状況を検出したかを判断し、それが該ＲＲＣ接続を中断させ、該緊急コールを中断させる。モバイル装置は、失敗状況を検出しない場合、フローをブロック３０５に戻す。モバイル装置が失敗状況した場合、ブロック３１２において、モバイル装置は、該ＲＲＣ接続を確立できるセルを検索する。例えば、モバイル装置は、モバイル装置周辺の一定範囲内のセルが伝播する無線電信信号を検出、分析でき、セルを検索することができる。
【００３８】
判断ブロック３１５において、モバイル装置は、それが適合するセルを検出したかを判断する。モバイル装置は、検出したセルが伝送する無線電信信号を分析することにより、検出したセルが適合するセルか受容可能セルかを判断し、セル及び/又はそれがモバイル装置に提供するサービスを識別する。モバイル装置が適合するセルを検出した場合、ブロック３２０において、モバイル装置は、該適合するセルに要求を伝送し、該ＲＲＣ接続を再確立する。モバイル装置は、  ＲＲＣConnectionReestablishmentRequest情報を検出した適合するセルに伝おすし、該適合するセルと該ＲＲＣ接続の再確立を試みる。該再確立要求が該適合するセルに達した後、モバイル装置は、該適合するセルにＲＲＣ接続再確立ルーチンを行なう。
【００３９】
モバイル装置が判断ブロック３１５において適合するセルを検出しない場合、判断ブロック３２５において、モバイル装置は、それが受容可能セルを検出したかを判断し、検出していなければ、ルーチン３００が終了する。判断ブロック３２５において、モバイル装置は、それが受容可能セルを検出したと判断する場合、ブロック３３０において、モバイル装置は、検出した受容可能セルに要求を伝送し、該ＲＲＣ接続を再確立する。前記のように、この受容可能セルは、モバイル装置が最初にＲＲＣ接続を確立した受容可能セルである可能性がある。該ＲＲＣ接続を再確立する要求をした後、モバイル装置は、該受容可能セルにＲＲＣ接続再確立ルーチンを行なう。
【００４０】
実際に、本発明のモバイル装置は、受容可能セルが適合するセルである場合もあるとして扱う。既存のモバイル装置は、明らかに緊急な状況において、可用な受容可能セルがあっても、適合するセルを検索する。実施例において、モバイル装置は、ＲＲＣ接続再確立要求を受容可能セルに伝送する前に先に可用な適合するセルがあるかを判断しない。従って、モバイル装置は、受容可能セルを検出し、ＲＲＣ再確立要求を該受容可能セル伝送する。実施例において、モバイル装置は、適合するセルを検出してもＲＲＣ再確立要求を受容可能セルに伝送する。実施例において、モバイル装置は、検出したセルの少なくとも１つからシステムデータを受信し、このシステムデータは、該セルが緊急コールを支援することを示す。従って、モバイル装置は、ＲＲＣ接続再確立要求を、該緊急コールを支援するセルに伝送する。実施例において、ＲＲＣ接続を確立した最初の受容可能セル、及びＲＲＣ接続を再確立した受容可能セルは、同一のＰＬＭＮに属する。実施例において、各受容可能セルが同一のＰＬＭＮに属するが、その他の実施例において、少なくとも１つの受容可能セルが複数のＰＬＭＮに属する。該受容可能セルは、複数のＰＬＭＮに属し、モバイル装置は、元の受容可能セルと同一のＰＬＭＮに属する受容可能セルとのみＲＲＣ接続の再確立を試みるように形態であることもできる。
【００４１】
図４は、フロー図であり、モバイル装置１０４，１０６が実行するルーチン４００の実施例を示し、モバイル装置が既存のＲＲＣ接続の失敗状況を検出時、新たなＲＲＣ接続を確立する。ブロック４０５において、モバイル装置１０４，１０６は、受容可能セルが確立するＲＲＣ接続により、緊急コールを維持する。判断ブロック４１０において、モバイル装置は、それが失敗状況を検出したかを判断する。モバイル装置が失敗状況を検出しない場合、フローは、ブロック４０５に戻る。モバイル装置が失敗状況を検出した場合、ブロック４１５において、モバイル装置は、ＲＲＣ_ＩＤＬＥ状態に進入する。ＲＲＣ_ＩＤＬＥ状態は、モバイル装置がタイマー(例えば、Ｔ３１１)終了を待たずに後続の緊急コールを発することを許可する。ＲＲＣ_ＩＤＬＥ状態に進入後、モバイル装置は、ＲＲＣ接続再確立ルーチンを起動する必要がない。ブロック４２０において、モバイル装置は、セル(受容可能セル又は適合するセル)を検索し、新たなＲＲＣ接続を確立する。判断ブロック４２５において、モバイル装置は、セルを検出したかを判断し、それが受容可能セル又は適合するセルかは問わない。如何なるセルも検出しなければ、フロー４００を終了する。セル(受容可能セル又は適合するセル)を検出した場合、ブロック４３０において、モバイル装置１０４，１０６がそれとブロック４２０が検出したセルの間で、ＲＲＣ接続を確立する要求を伝送する。一旦、ＲＲＣ接続が確立すれば、モバイル装置は、緊急コールを発出できる。
【００４２】
図５は、フロー図であり、それは、モバイル装置１０４，１０６が実行するルーチン５００の実施例を示し、モバイル装置が失敗状況を検出時、ＲＲＣ接続を再確立する。ブロック５０５において、モバイル装置１０４，１０６は、受容可能セルと確立したＲＲＣ接続を介し、緊急コールを維持する。判断ブロック５１０において、モバイル装置は、それが失敗状況を検出したかどうかを判断する。モバイル装置が失敗状況を検出しなければ、フローは、ブロック５０５に戻る。モバイル装置が失敗状況を検出した場合、ブロック５１５において、モバイル装置は、セルを検索し、それは、元の確立したＲＲＣ接続の受容可能セルと同一ＰＬＭＮに属する。モバイル装置は、付近のセルが伝送する無線電信信号を分析することにより、このようなセルを検索することができる。例えば、セルは、それがどのＰＬＭＮに属するかを伝播し、モバイル装置が検出したセルにこの情報を要求することができる。
【００４３】
判断ブロック５２０において、モバイル装置は、元のセルと同一のＰＬＭＮに属するセルを検出したかを判断する。このようなセルを検出しなければ、判断ブロック５２５において、モバイル装置は、元のセルとＰＬＭＮを共用しない適合するセルを検出下かを判断する。この種の適合するセルを検出すれば、ブロック５３０において、モバイル装置は、ＲＲＣ_ＩＤＬＥモードに進入し、その後、該適合するセルに要求を伝送し、ＲＲＣ接続を確立する；検出しなければ、ブロック５３５において、モバイル装置は、ＲＲＣ接続を再確立する受容可能セル又はＲＲＣ接続を再確立する適合するセルの検索をタイマー終了まで持続する。実施例において、モバイル装置は、１つの元のセルと異なるＰＬＭＮに属する受容可能セルとＲＲＣ接続の再確立を行なわないことができる。
【００４４】
判断ブロック５２０において、モバイル装置は、元のセルと同一のＰＬＭＮに属するセルを検出したかを判断し、ブロック５４０において、モバイル装置は、ＲＲＣ接続を再確立する要求を該セルに伝送する。該セルは、受容可能セル又は適合するセルであることができる。実施例において、モバイル装置は、セルが緊急コールを支援し、該セルによりＲＲＣ接続を再確立する。例えば、セルは、信号をモバイル装置に伝送でき、該セルが緊急コールの能力を有することを示す。モバイル装置は、少なくとも一部分の該セルが緊急コールを支援することにより，該セルを選出する。
【００４５】
図６は、フロー図であり、モバイル装置１０４，１０６が実行するルーチン６００の実施例を示し、モバイル装置が失敗状況を検出時、ＲＲＣ接続を再確立する。ブロック６０５において、モバイル装置１０４，１０６は、セルが確立するＲＲＣ接続を介して、緊急コールを維持する。判断ブロック６１０において、モバイル装置は、それが失敗状況を検出したかを判断する。
【００４６】
モバイル装置が失敗状況を検出しない場合、フローは、ブロック６０５に戻る。モバイル装置が失敗状況を検出した場合、ブロック６１５において、モバイル装置は、緊急コールを支援するセルを検出し、ＲＲＣ接続を確立する。例えば、モバイル装置は、付近のセルが伝送する無線電信信号を分析することにより、このようなセルを検出することができる。
【００４７】
判断ブロック６２０において、モバイル装置は、それが緊急コールを支援するセルを検出したかを判断する。モバイル装置は、付近のセルがモバイル装置に伝送する信号及び/又はセルを検査した関連データ、例えば、システムデータにより、該セルが緊急コールを支援するかを判断する。モバイル装置が緊急コールを支援するセルを検出しない場合、ルーチン６００が終了する。モバイル装置が緊急コールを支援するセルを検出する場合、ブロック６２５において、モバイル装置がＲＲＣ接続を再確立する要求を該セルに伝送し、ＲＲＣ接続再確立ルーチンを起動する。
【００４８】
上下の文は、別途明確性の要求がない限り、全篇の説明書及び請求項において、「含む」及び類似する用語は、包含性(inclusive)の意義であり、排他性(exclusive)又は限定的(exhaustive)の意義で解釈するのではない。即ち、「含むがこれに限定するものではない」という意義で解釈されるべきである。ここで使用する「接続」(connected)、「接合」(coupled)又はその任意の変化の語は、任意の２つ以上の部材間の直接又は間接的接続(connection)又は接合(coupling)を意味する；元件間の接合又は接続は、実体的、論理的又は両者の組み合わせであることができる。また、「ここで」(herein)、「上記」(above)、「下記」(below)又は類似する意味の語は、本出願で使用時、全体的に本出願にかかり、本出願の特殊な部分を示すのではない。前後文が許す時、本節の実施方式において使用する単数又は複数の語は、それぞれ複数の又は単数の意味を含む。「又は」は、２つ以上の項目の一覧を参照し、以下の解釈：該一覧の何れかの項目、該一覧の全ての項目、及び該一覧の任意の項目の組み合わせ、を有する。
【００４９】
上記の本発明に関する多くの実施例の詳細な説明は、既に列挙したものが全ての可能性ではなく、本発明を上記が開示する形式に制限するものではない。説明の目的で、本発明の特定実施例は、上記のように記載しているが、本発明の範囲内において、各種の同等の効果の修正(equivalent modification)は、当業者が承認及び認可できるものである。例えば、フロー、部材又はブロックは、既定の順序又は配置で表される時、その他の実施例が行なうことができるルーチンは、異なる順序のステップを有し、又は使用されるシステムは、異なる配置のブロック又は部材を有し、且つフロー又はブロックは、削除、移動、増加、細分化、組み合わせ、及び/または修正される可能性があり、置き換え可能に組み合わせ、又は副組み合わせ(subcombination)を提供する。これらフロー又はブロックのそれぞれは、各種の異なる方式で実施することができる。また、多くのフロー又はブロックが連続で実行される時、これらフロー又はブロックは、平行方式で実行又は実施することもでき、又は異なる時間で実行することもできる。更に、ここで記載する任意の特定の数量は、範例であるだけであり、その他の実施例は異なる値又は範囲を使用することができる。
【００５０】
ここで提供する本発明の教示は、その他のシステムに応用することができ、上記のシステムに制限するものではない。上記各種の実施例の部材及び動作は、組み合わせることができ、より多くの本発明の実施例を提供することができる。本発明のその他の実施例は、上記実施例に別途部材を増加することができ、上記実施例がより少ない部材を含むように減少することもできる。
【００５１】
添付の出願書類中に列記するものを含み、任意の特許、出願案及びその他の参考文献は、何れも明細書に参考として組み込まれる。本発明の多くの側面は、必要に応じ、修正を行なうことができ、前記各種の参考文献のシステム、機能及び概念を使用し、より多くの本発明の実施例を提供することができる。
【００５２】
本節の実施方式に基づき、本発明は、これら及びその他の変更を行なうことができる。上記は、本発明の実施例を記載しており、且つ最良の実施形態を開示しているが、本文中に如何に詳細に記載していても、本発明は、依然として多くの方式で実施することができるものである。システムの詳細は、特定の実施形態において、大きく変動があり、依然として本発明が開示する範囲内である。前記のように、本発明の特定の特徴又は使用する特殊な用語は、該用語がここで新たに定義されるとみなされるべきではなく、該用語と関連する本発明の具体的特性、特徴について制限するものではない。一般的に、実施方式の節において、これらの用語を明確に限定している以外、下記特許請求の範囲の請求項の用語は、本発明を明細書が開示する特定の実施例に制限するものではない。従って、本発明の真の範囲は、開示する実施例を概括するだけでなく、更に、請求項において本発明を実施又は製作する同等効果を有する方式を含む。
【００５３】
請求項の数を減少するため、出願人は、請求項の形式において、本発明の一側面を呈しているが、出願人は、依然として任意の数量の請求項の形式により、本発明の側面を思慮している。例えば、本発明の１つの側面は、手段機能 (means-plus-function)の請求項に記載している時、他の側面は、類似して手段機能の請求項又はその他の形式に収録されることができ、例えば、コンピュータが読み取り可能な媒介中に衆力されることができる。従って、出願人は、本出願を提出後、この種の別途請求項形式により別途請求項を増加する権利を有する。
【符号の説明】
【００５４】
１０４，１０６  モバイル装置
１０８  セルタワー
１１０  ＬＴＥネットワーク
２１０  無線機器
２１２  メモリ及びファームウェア
２１４  入力部材
２１５  出力部材
２１６  プロセッサ
２１７  電源供給設備
２１８  ユーザ識別モジュール/取り外し可能なメモリカード
２２０  ＲＲＣ接続再確立モジュール
３００〜３３０  緊急コールのＲＲＣ接続を再確立するルーチンの実施例のフロー
４００〜４３０  緊急コールのＲＲＣ接続を再確立するルーチンの実施例のフロー
５００〜５４０  緊急コールのＲＲＣ接続を再確立するルーチンの実施例のフロー
６００〜６２５  緊急コールのＲＲＣ接続を再確立するルーチンの実施例のフロー
【図１】
2011101363.tif 000003
【図２】
2011101363.tif 000004
【図３】
2011101363.tif 000005
【図４】
2011101363.tif 000006
【図５】
2011101363.tif 000007
【図６】
2011101363.tif 000008